(57)【要約】  一方または両方の対向する面にそれぞれ内部流路（１５）を画定するリブ（１４）が形成されている内部に板状の要素（１３）が配置された扁平な箱状の本体（２）を備える輸液ライン用フィルタ。リブにはそれぞれ、一対のハーフシェル（５、６）により区切られるそれぞれの隙間（２３、２３）から流路（１５）を分離するそれぞれの濾過親水性膜（１６）が配置されている。隙間（２３、２３）は、注入コネクタ（９）に連通するよう配置され、流路（１５）は、排出コネクタ（１０）に連通するよう配置され、隙間（２３）は、箱状の本体（２）の端壁（３、４）に配置される排気口（１１ａ、１１ｂ）を介して外部に連通するよう配置される。
2021521927.tif 000002
【特許請求の範囲】
【請求項１】
一対のハーフシェル（５、６）を含み、濾過前の液体用の注入コネクタ（９）および濾過後の液体用の排出コネクタ（１０）が設けられた扁平な箱状の本体（２）と、
ここで、前記コネクタ（９、１０）はそれぞれ、前記箱状の本体（２）の第１端壁（３）および第２端壁（４）に設けられ、
前記箱状の本体（２）の内部に配置され、前記コネクタ（９、１０）の間に平行に延びる内部流路（１５）を画定するリブ（１４）が対向する面のうち少なくとも１つに形成されている板状の要素（１３）と、
ここで、前記リブ（１４）には、対応するハーフシェル（５、６）により区切られる隙間（２３）から前記流路（１５）を分離する少なくとも１つの濾過親水性膜（１６）が設けられ、前記隙間（２３）は前記注入コネクタ（９）に連通するよう配置され、前記流路（１５）は前記排出コネクタ（１０）に連通し、関連する疎水性膜（２４）が配置された前記隙間（２３）はさらに、外部排出口（１１ａ、１１ｂ）に連通するよう配置され、
を備え、
前記排気口（１１ａ、１１ｂ）は、前記箱状の本体（２）の前記端壁（３、４）に配置され、「使用時」には、輸液が最初に少なくとも１つの前記疎水性膜に接触し、続いて、前記少なくとも１つの親水性膜（１６）に接触する、ことを特徴とする、
輸液ライン用フィルタ（１）。
【請求項２】
前記流路（１５）は、前記板状の要素（１３）の両方の面に設けられ、一対の濾過親水性膜（１６）はそれぞれのハーフシェル（５、６）によりそれぞれ区切られる一対の隙間（２３）から前記流路（１５）を分離する、ことを特徴とする、
請求項１に記載のフィルタ。
【請求項３】
前記板状の要素（１３）の対向する面の端部に、前記疎水性膜（２４）が配置される横方向マニホールド（２２）が設けられ、前記横方向マニホールド（２２）は、前記排気口（１１ａ、１１ｂ）に連通して配置される、ことを特徴とする、
請求項１または２に記載のフィルタ（１）。
【請求項４】
前記注入コネクタ（９）と前記排出コネクタ（１０）とは同軸である、ことを特徴とする、
請求項１から３のいずれか１項に記載のフィルタ（１）。
【請求項５】
前記注入コネクタ（９）と前記排出コネクタ（１０）とは、前記医療ラインのチューブ／チューブまたはルアー／チューブまたはチューブ／ルアーまたはルアー／ルアー接続用に設計される、ことを特徴とする、
請求項１から４のいずれか１項に記載のフィルタ（１）。
【請求項６】
それぞれの前記濾過親水性膜（１６）は、前記疎水性膜（２４）と一体的に形成されている、ことを特徴とする、
請求項１から５のいずれか１項に記載のフィルタ（１）。
【発明の詳細な説明】
【技術分野】
【０００１】
本発明は、輸液ライン用フィルタ、特にＩＶフィルタに関する。
【０００２】
従来通りに作られたフィルタは、第１端壁および第２端壁と、一対の大きい側壁と、一対の小さい側壁と、を有する扁平な箱状の本体を備える。そのようなフィルタは、一方および他方の端壁に、濾過前の液体用の注入コネクタと、濾過後の液体用の排出コネクタと、が設けられている。箱状の本体には、その対向する面の少なくとも１つに平行な流路を画定する複数のリブが形成された板状の要素が配置されている。複数のリブのそれぞれには、２つの大きな側壁により区切られるそれぞれの隙間から流路を分離する濾過親水性膜が配置されている。その、またはそれぞれの隙間は、注入コネクタと連通して配置され、流路は、排出コネクタと連通して配置される。さらに、その、またはそれぞれの隙間は、液体を脱気するための関連する疎水性膜を有する開口部により、外部と連通して配置される。
【背景技術】
【０００３】
欧州特許出願公開第１２０８８５７号明細書、欧州特許出願公開第１４２１１９６０号明細書、米国特許第４５２５１８２号明細書、米国特許第５４３９５８７号明細書には、このように作られたフィルタが開示されており、これらの文献においては、疎水性膜を有する脱気開口部は、箱状の本体の一対の大きい側壁に設けられている。脱気開口部がこのように位置することで、液体が効果的に脱気されないという許容できないリスクとともに、フィルタを扱う際に不注意に開口部が塞がれる、または、フィルタの使用場所の近くに存在する物体により意図せずに開口部が塞がれる、という欠点を伴う。
【０００４】
国際公開第９５／２８２１５号には、液体から気体を分離するための多孔質膜が設けられた１つまたは複数の排気口を有する医療用フィルタが記載されている。排気口は箱状の本体の端部に配置されているが、排気口はフィルタのより大きな面に垂直な方向を向いている。すなわち、それらはそこで終端しており、上述したものと同じ欠点を露呈している。
【０００５】
中国特許第１０４０８３８１９号明細書には、液体用の排出コネクタに近接してフィルタの端壁に配置されたそれぞれの膜を備えた排気孔を有する医療ライン用のフィルタが記載されている。排気孔は親水性膜により濾過された後の液体を回収するよう設計されたチャンバーに連通して配置される。したがって、排気は液体を濾過した後にだけ実行され、特にフィルタが垂直位置で使用される場合、排気が不十分である可能性がある。
【発明の概要】
【０００６】
本発明の目的は、上述した欠点を克服することである。
【０００７】
このような目的を達成するために、本発明は、請求項１のプリアンブルに定義されたタイプの輸液ライン用フィルタに関する。請求項１の主な特徴は、脱気開口部が箱状の本体の端壁に設けられており、「使用時」には、輸液が最初に少なくとも１つの疎水性膜に接触し、続いて、少なくとも１つの親水性膜に接触し、疎水性膜を通過して流れることにある。
【０００８】
疎水性膜は、脱気開口部に順番に連通されている横方向マニホールドのそれぞれで、板状の要素の大きい側壁の端部に配置されている。
【０００９】
液体用の注入コネクタおよび排出コネクタは、都合よく同軸であるため、「使用時」に、薬液の流入チューブおよび流出チューブでねじりモーメントが発生しない。
【００１０】
液体用の注入コネクタおよび排出コネクタは、医療ラインの、チューブ／チューブまたはルアー／チューブまたはチューブ／ルアーまたはルアー／ルアー接続用に設計されてもよい。
【００１１】
その、またはそれぞれの濾過親水性膜はまた、それぞれの疎水性膜と一体的なものとして取得されてもよい。
【００１２】
本発明はまた、本明細書でクレームされるようなフィルタの使用を提供する、医療ライン用の輸液を濾過および脱気する方法に関する。
【００１３】
本発明のさらなる特徴および利点は、非限定的な例として提供される添付の図面を参照して、以後の詳細な説明から明らかになるであろう。
【図面の簡単な説明】
【００１４】
【図１】本発明によるフィルタの一実施の形態の概略透視図
【図２】図１の平面図および部分断面図
【図３】図１の矢印ＩＩＩによる正面図
【図４】図１のフィルタの分解図
【図５】図２のＡ−Ａ線による縦断面図
【図６】図５の円内のフィルタの一部の拡大図
【図７】図２のＢ−Ｂ線による断面図
【図８】図２のＤ−Ｄ線による断面図
【発明を実施するための形態】
【００１５】
まず、図１〜３を参照すると、本発明による輸液フィルタは、その全体が符号１で示されている。
【００１６】
輸液フィルタは、一対のハーフシェル５、６により形成される扁平な箱状の本体２を備える。箱状の本体２は、第１および第２端壁３、４と、一対の大きい側壁２５、２６と、一対の小さい側壁７、８と、を有する。第１端壁３には、濾過前の液体の注入コネクタ９が配置され、第２端壁４には、濾過後の液体用の排出コネクタ１０が配置されている。孔１１ａの形式の第１排気口は、注入コネクタ９に近接して第１端壁３に設けられ、孔１１ｂの形式の第２排出口は、排出コネクタ１０に近接して第２端壁４に設けられている。
【００１７】
図２の部分断面図に示すように、ダクト１２が孔１１ａと箱状の本体２の内部とを接続している。図に示されていない同様のダクトが、孔１１ｂと箱状の本体２の内部とを接続している。
【００１８】
図４から８を参照すると、ハーフシェル５、６内で、コネクタ９、１０の間に長手方向に延びる流路１５をそれぞれ画定する複数のリブ１４が対向する面に形成されている板状の要素が符号１３で示されている。それぞれの面の流路１５の端部に近接して、それと垂直に、横方向のマニホールド２２が設けられている。板状の要素１３の両端の対向するマニホールド２２は、板状の要素１３のそれぞれの通路により互いに連通して配置される。それら（通路）の１つは、図７において符号２７で示されている。さらに、それら（通路）はそれぞれ、排気孔１１ａとおよび排気孔１１ｂと連通して配置される。板状の要素１３のそれぞれの面には、板状の要素１３に密着（ｗｅｌｄｅｄ）したそれぞれの親水性膜１６が存在する。２組の疎水性膜２４は、例えば密着させることにより、４つのマニホールド２２の上に配置される。２組の疎水性膜２４はそれぞれ、一方および他方の親水性膜１６と一体的なものとして統合されて取得されてもよい。
【００１９】
板状の要素１３は、ハーフシェル５、６のそれぞれの環状リップ１８（ａｎｎｕｌａｒ  ｌｉｐｓ）に結合される突出した外周縁１７を有する。
【００２０】
液体用の注入コネクタ９および排出コネクタ１０は互いに同軸であり、板状の要素１３と一体的に接合されている。それらは、医療ラインのチューブ／チューブまたはルアー／チューブまたはチューブ／ルアーまたはルアー／ルアー接続用に構成されてもよい。
【００２１】
図５〜８は、それぞれの親水性膜１６、１６により分離され、それぞれのハーフシェル５、６により外側が区切られた、板状の要素１３の面と同一平面上の２つの隙間２３、２３を示す。注入コネクタ９の端部において、板状の要素１３に設けられた通路１９（図５）により、両方の隙間２３、２３がそのようなコネクタ９と連通される。
【００２２】
図６を参照してより詳細に説明すると、板状の要素２１の通路２１により、排出コネクタ１０が複数の流路１５と連通される。
【００２３】
以上のことから明らかなように、本発明によるフィルタ１は、コンパクトで小型な構成を有している。
【００２４】
使用中に、輸液は、注入コネクタ９および通路１９を通って、隙間２３、２３に入り、基端側（ｐｒｏｘｉｍａｌ）疎水性膜２４、２４に最初に接触する。これにより、ダクト１２および孔１１ａを通過してフィルタ１の外部に分散する（ｄｉｓｐｅｒｓｅｄ）前に、液体中に取り込まれた空気をそれぞれのマニホールド２２に流出させることができる。
【００２５】
続いて、流体は、濾過親水性膜１６、１６に接触し、それを通って流れ、流路１５から通路２１に向かって運ばれ、排出コネクタ１０を通過して流出する。
【００２６】
本発明によるフィルタ１は、通常、輸液ラインの垂直方向で使用される。すなわち、注入コネクタ９が、排出コネクタ１０に対して上部に位置するような方向に向けられる。基端側疎水性膜２４に接触した後、液体がまだ空気を含んでいる場合、例えば、上述の説明と異なる使用の向きのために、残留空気は、末端側（ｄｉｓｔａｌ）疎水性膜２４および孔１１ｂに接続されたそれぞれのマニホールド２２を通って流出する。
【００２７】
フィルタ１の隙間２３における流れの上流および下流に疎水性膜２４を配置することは、特にプライミング（ｐｒｉｍｉｎｇ）中に、液体に含まれる空気がフィルタ１の端部領域に蓄積されるため、濾過面の一部を塞がないという事実にあるさらなる利点を明らかにする。このようにして、上述した既知の解決方法に対して、空気が流出する時間がより長くなる。
【００２８】
明らかに、構造の詳細および実施の形態は、以下の特許請求の範囲に定義される本発明の保護の範囲から逸脱することなく、説明および図示されたものに対して大きく異なってもよい。したがって、例えば、フィルタは、一般的に、図面に示されるものに対して異なる形状を有していてもよい。また、板状の要素１３の片面だけに形成されたリブ１４に配置された単一の濾過親水性膜１６を備えていてもよい。
【図１】
2021521927.tif 000003
【図２】
2021521927.tif 000004
【図３】
2021521927.tif 000005
【図４】
2021521927.tif 000006
【図５−６】
2021521927.tif 000007
【図７】
2021521927.tif 000008
【図８】
2021521927.tif 000009
【国際調査報告】
2021521927.tif 000010
2021521927.tif 000011